(57)【要約】【課題】漢字の成り立ちを示す古代文字を、意味を持つパーツ毎に色分けして表示することで、効率よく漢字を学習するための漢字学習用具を提供すること。【解決手段】本発明の漢字学習用具は、漢字の成り立ちを示す古代文字を、意味を持つパーツに分解し、意味の概念別にパーツを特定のルールに従って色分けして表示したことを特徴とする。【選択図】図１
2017097311.tif 000002
【特許請求の範囲】
【請求項１】
漢字の成り立ちを示す古代文字を１枚のカードに１字表示した漢字学習用カードであって、前記古代文字を意味を持つパーツに分解し、当該パーツが表す意味を概念別に分類して、各概念別に特定のルールに従って色分けして表示したことを特徴とする漢字学習用具。
【請求項２】
前記漢字の成り立ちを示す古代文字を１枚のカードに１字ずつ表示した複数枚のカードからなる漢字学習用カードであって、個々の古代文字を、意味を持つパーツに分解し、当該パーツが表す意味を概念別に分類して、各概念別に全てのカードを特定のルールに従って色分けして表示し、パーツの種類に応じて複数の前記学習カードをグループ化することができることを特徴とする漢字学習用カードセット。
【請求項３】
前記学習カードに、上下を識別するための標識を付したことを特徴とする請求項１または２記載の漢字学習用具。
【請求項４】
前記学習カードに、文部科学省制定の漢字の配当学年を識別するための標識を付したことを特徴とする請求項１，２または３記載の漢字学習用具。
【請求項５】
前記学習カードは、色紙（しきし）をはじめとする厚手の紙製、プラスチック製、マグネット製シート等に表示されて記録されていることを特徴とする請求項１，２，３または４記載の漢字学習用具。
【請求項６】
前記学習カードは、電子媒体に記録されていることを特徴とする請求項１または２記載の漢字学習用具。
【発明の詳細な説明】
【技術分野】
【０００１】  本発明は、漢字学習用具に関し、より詳しくは、漢字の成り立ちを示す古代文字を、意味を持つパーツに分解した上で、当該パーツが表す意味を概念別に色分けして表示することにより効率よく漢字を学習するための漢字学習用具に関する。
【背景技術】
【０００２】  漢字を覚えるための従来の技術としては、漢字や古代文字を１字ずつそれぞれ１枚のカードに単色で記載した漢字学習用具がある。【０００３】  従来、漢字を覚えるためには漢字を繰り返しノートに書いたり、クイズ形式の電子式漢字ゲームなどを使用するなどして暗記していた。書き取りは単調な作業であり、ともすると形を覚えるだけの作業になりがちであった。罰則として大量の漢字の書き取りを児童に課すことは漢字嫌いや漢字離れを招く一因となるとして、近年では教育現場で問題にもなっている。またテレビゲームや携帯式ゲーム機器での漢字ゲームでは、１字１字の書き順や読み方については楽しく記憶できても、漢字の成り立ちから漢字を系統立てて理解するという効果まで期待できる内容のものがなかった。【０００４】  これら問題点を解消するために、漢字カードと称されるカルタ様の漢字学習用具がある。漢字の成り立ちを表す古代文字を用い、現代の漢字と古代文字を関連づけることで漢字や部首を覚えやすくする目的で作られたものである。【０００５】  特許文献１には、漢字の部首と、部首の成り立ちを示す古代文字と、古代文字の成り立ちを示す絵文字と、部首と絵文字とを関連づけて覚えるための唱え言葉を表示するカードが開示されている。これらカードは１９０種類の部首を１２種類のグループに分類しており、部首の種類に応じて複数組の学習カードをグループ化して使用することが可能である。【０００６】  また、特許文献２には、基本漢字（象形指示文字）と、基本漢字（象形指示文字）の成り立ちを示す古代文字と、古代文字の成り立ちを示す絵文字と、基本漢字（象形指示文字）と絵文字とを関連づけて暗記するための唱え言葉を表示するカードが開示されている。これらカードは象形文字や指示文字（以下、「象形指事文字」と称す。）と呼ばれる基本漢字１０１字より成り、その他の会意文字や形声文字（以下、「会意形声文字」と称す。）がそれらの組合せで成り立つことから、基本漢字１０１字を覚えることで殆どの漢字を簡単に覚えることが可能であるとしている。
【先行技術文献】
【特許文献】
【０００７】
【特許文献１】特公平７−５２３１６号公報
【特許文献２】特公平７−５２３１７号公報
【発明の概要】
【発明が解決しようとする課題】
【０００８】  しかしながら、特許文献１、２のいずれの技術においても古代文字を表示したカードは１枚のカードに１字の古代文字を単色で記載しただけの構成であり、部首のもととなる漢字の成り立ちを示す古代文字カードと基本漢字（象形指示文字）１０１の成り立ちを示す古代文字カードのみで構成される。これらの応用で基本漢字１０１以外の漢字の成り立ちも理解できると記載されているが、古代文字が意味を持つ複数のパーツから構成されている場合は、まず古代文字の分解作業から着手しなければならない。部首だけではなくひとつひとつの漢字の成り立ちを学習する時や、基本的な象形文字以外の漢字を学習する時には古代文字の分解作業が必要であり効率が悪い。
特に漢字学習の初期段階にある小学校低学年児童、未就学児、外国人にとっては、会意形声文字の成り立ちを示す古代文字を、意味を持つパーツに分解する作業は困難である。【０００９】  また、特許文献１の学習カードでは１９０種類の部首を１２種類のグループに分類しており、部首になる代表的な象形文字１２種類を覚えることで全ての部首が覚えられる仕組みである旨記載されている。特許文献１の学習カードの作用は部首を覚えることに限定されているので、当該学習カードは一通り漢字を習得している学習者が部首部分の記憶定着や復習をするには適しているが、漢字の初期段階の学習者には不向きである。【００１０】  特許文献２の学習カードでは１０１種類の基本漢字（象形指示文字）を覚えることで、これらの組み合わせでできている会意形声文字をすべて簡単に覚えることができる旨記載されているが、漢字は長い歴史の中でまったく違うものを表す部分が同じ形に統合されてしまうこともあるため、会意形声文字を分解したものが、それぞれのパーツに対応する基本漢字（象形文字）の意味を持つとは限らない。【００１１】  たとえば、「保」という字は外観上は「人」の側身形を表すにんべんと「口」と「木」に分解されるが、「保」の成り立ちを示す古代文字を、意味を持つパーツに分解すると「人」と「子ども」と「産着」になる。子どもを表すパーツが「子」という形にならずに「呆」という形に変わってしまった例である。「人」「口」「木」の成り立ちをそれぞれ知っていても、「保」の漢字の成り立ちを知ることはできない。このように、古代文字の分解は非常に高度な作業であるため、たとえ１０１種類の基本漢字を習得しても、すべての会意文字の成り立ちを理解することには到達し得ない。【００１２】  更に、先行技術文献記載のいずれの漢字学習用具も、漢字の部首と基本漢字（象形指示文字）の暗記には役立つが、漢字の殆どを占める、より複雑な会意形声文字の学習においては、基本漢字（象形指示文字）のどの部分が会意形声文字のどの部分に対応しているかまでは分かりにくい。効率よく学習するためには、会意形声文字の成り立ちを示す古代文字カードが必要となる。【００１３】  小学校の配当漢字全体では、象形文字約１６％、指示文字が約３％、会意文字が約２１％、形声文字が約５９％、その他は１％未満である。（分類の仕方は、研社者や辞書によって多少異なるが、上記パーセンテージが大きく変わることはない。）【００１４】  小学校１年生の配当漢字８０字を例にとると、８０字のうち象形文字は３９字、指示文字は９字、会意文字は１７字、形声文字は１０字、その他が５字となる。（平凡社出版福井県教育委員会発行の『白川静博士の漢字の世界へ』をもとに分類したが、六書の分類は複雑であり、資料によっては別の記述が書かれているものもある。）【００１５】  １年生での象形指示文字は１年生配当漢字全体の６０％、形声会意文字は３４％になる。象形文字は漢字のへんやつくりになるものが多いので低学年でその多くを学ぶため、上記のようなパーセンテージになる。そしてこれら象形指示文字の組み合わせにより、形声会意文字は作られる。象形指示文字の成り立ちを示す古代文字は漢字学習の初期段階にある学習者でも、単純な���から成り立つため理解し易いが、形声会意文字はこれら象形指示文字を複数組み合わせて成り立つため、象形指示文字よりも学習の難易度は上がる。会意形声文字の成り立ちを示す古代文字カードがなければ、小学校１年生の配当漢字を全て古代文字と関連づけて学習することは難しい。【００１６】  小学校１年生の配当漢字の会意文字の中で、たとえば「学」の古代文字は４つのパーツから成っている。学習者は、「学」の古代文字が意味を持った４つのパーツに分解されるということも理解し難い。本願発明のように意味を持つパーツ別に色分け表示されていれば学習者はどのように分解されているのかが一目で理解できる。【００１７】  小学校配当漢字の全体の約１９％である象形指示文字の成り立ちを示す古代文字を理解することは、同じく小学校配当漢字の全体の約８０％を占める形声会意文字の成り立ちを示す古代文字を理解することの一助にはなるが、象形指示文字からより複雑な形声会意文字の学習においては活用するのは難しい。【００１８】  本発明の目的は、部首や基本漢字（象形指示文字）に限らず、古代文字を意味を持ったパーツに分解し、個々のパーツを意味の概念別に全体に共通する特定のルールに従って色分けして表示することにより、ひとつひとつの古代文字がどのようにして作られたかを効率良く理解させて漢字を覚えやすくすること、同じパーツを含む古代文字同士がどのようにアレンジされて増えてきたのかまでを学習者に効率良く理解させて漢字を覚えやすくすることが可能な漢字学習用具を提供することである。【００１９】  漢字学習の初期段階において、個々の漢字の成り立ちにとどまらず、漢字同士がどのように関係しどのように増えてきたかという漢字全体の発展や変化の流れを知ることは、学習者に漢字に興味を持たせ学習意欲を向上させる契機となる。漢字をばらばらに覚えるのではなく、まとまったグループとして学習することで覚えやすい。
【課題を解決するための手段】
【００２０】  上記課題を解決するため、本発明の漢字学習用具は、部首や基本漢字（象形指示文字）に限らず、覚えようとする漢字の成り立ちを示す古代文字を、意味を持つパーツに分解し、当該分解されたパーツを、意味別に全体で共通した特定のルールに従って色分けして表示し、一目で古代文字の構成パーツを判別できるようにし、古代文字を構成する特定のパーツ別に容易にグループ化可能であることを特徴とする。【００２１】  たとえば「子」の古代文字は乳幼児の体を表している。この乳幼児の体を表す古代文字の分解パーツは「字」「学」「好」のほか「保」「流」「育」にも含まれている。「字」「学」「好」は古代文字の中に「子」のパーツを見つけることが容易であるが、「保」「流」「育」の中に「子」のパーツを一目で見出すことは難しい。複数の古代文字カードにおいて、全ての古代文字のパーツが全体に共通する特定のルールに従って色分け表示されていれば、これらをひとつのグループとして漢字学習者に示すことで、学習者は「子」の古代文字がまず先に作られ、これをもとに「字」「学」「好」「保」「流」「育」などが作られたことを理解できる。こうした繋がりと流れを知ることで、漢字を覚えやすくし、忘れにくくする。【００２２】  同様に「女」の古代文字は女性がひざまずいて両手を前で組んでいる姿を表している。この女性の姿を表す古代文字の分解パーツは「好」のほか「母」「乳」にも含まれている。「好」「母」は古代文字が一色で表されていても「女」のパーツを見つけることが容易であるが、「乳」は難しい。これらをひとつのグループとして漢字学習者に示すことで、学習者は「女」の古代文字がまず先に作られ、これを元に「好」「母」「乳」などが作られたことを理解できる。もうした繋がりと流れを知ることで、漢字を覚えやすくし、忘れにくくする。【００２３】  「子」と「女」のパーツを組み合わせることで、「好」という新しい漢字を作りだしたということも理解しうる。更に「女性が子どもをいつくしむ姿」という物語性を漢字「好」に与え、漢字を覚えやすくする。【００２４】  このような構成によれば、学習者は古代文字がどのようにして作られ、どのようにアレンジされて増えてきたのかまで容易に理解できる。特定のパーツ別にグループ化して学習することで、部首毎の機械的な暗記ではなく、成り立ちや由来別に系統立てて覚えることが可能であるため暗記効率が良い。
【発明の効果】
【００２５】  本発明によれば、個々の漢字の成り立ちだけではなく、古代文字を構成する意味別パーツの色彩によって、共通するパーツ別グループを作ることが容易であり、これにより、成り立ちを系統立てて覚えられる漢字学習用具を提供することが可能となる。一目で各古代文字の中の共通するパーツが認識可能であり、たくさんの漢字をグループ別に関連づけて学習できるので、覚えやすく、記憶に残る。【００２６】  本発明の学習カードは個々のパーツの意味が分からない時でも、色をヒントにしてパーツの意味を予想することができるため、漢字学習の初期段階にある小学校低学年、未就学児や外国人の漢字学習に好適である。漢字指導者は文部科学省制定の各学年配当漢字を基本に、パーツ毎に色分けされた古代文字カードであれば授業での指導対象とする漢字を選びやすく、指導計画（学習範囲や指導時間）を設定し易いという利点もある。【００２７】  古代文字を判別しやすい鮮やかな色彩で表示することにより、学習者にとって古代文字の分解されたパーツの印象は深まり、単調な記憶作業ではなく、視覚に訴えて記憶効率は高まり、楽しく学習することができる。漢字カードを併用して、カルタ形式により多人数で楽しみながらの学習も可能である。また、裏面を同一に仕上げることで、トランプの神経衰弱ゲームのように使用することも可能である。学習者や学習指導者の工夫次第で様々な使い方ができる。
【図面の簡単な説明】
【００２８】
【図１】本発明の漢字学習用具の一例を示した正面図である。
【図２】本実施形態に係る漢字学習用具を説明する正面図（その１）である。（ａ）基本となる象形指示文字の漢字カードとその古代文字カード（ｂ）前記（ａ）に表されているパーツと同じパーツを含む別の古代文字カードグループ（ｃ）前記（ｂ）で示した古代文字をもとにできた漢字カードグループ
【図３】本実施形態に係る漢字学習用具を説明する正面図（その２）である。（ａ）基本となる象形指示文字の漢字カードとその古代文字カード（ｂ）前記（ａ）に表されているパーツと同じパーツを含む別の古代文字カードグループ（ｃ）前記（ｂ）で示した古代文字をもとにできた漢字カードグループ
【図４】本実施形態に係る漢字学習用具を説明する正面図（その３）である。（ａ）その１、その２の学習で示した象形指示文字の漢字カードを組合せてできた会意文字の古代文字カード（ｂ）前記（ａ）で示した古代文字からできた漢字カード
【図５】本実施形態に係る漢字学習用具を説明する正面図（その４）である。
【図６】グループ化の一例を示す正面図である。（ａ）「足」のパーツを含むグループの古代文字カード（ｂ）前記（ａ）で示した古代文字から成る漢字カード
【図７】グループ化の一例を示す正面図である。（ａ）「子」のパーツを含むグループの古代文字カード（ｂ）前記（ａ）で示した古代文字から成る漢字カード
【図８】グループ化の一例を示す正面図である。（ａ）「木」のパーツを含むグループの古代文字カード（ｂ）前記（ａ）で示した古代文字から成る漢字カード
【発明を実施するための形態】
【００２９】  以下、本発明の実施形態を図面に基づいて説明する。なお、以下の説明では、同一部分には同一の符号を付し、一度説明した部分については適宜その説明を省略する。
【００３０】［漢字学習用具の構成］
以下、漢字記載のカードを「漢字カード」、古代文字記載のカードを「古代文字カード」と称する。漢字カードについては本願発明の古代文字カードを使用する際の補助的な漢字学習用具であり、仕様については特段の指定はなく、いかなる仕様であってもよい。（収納のし易さを考慮するならば、古代文字カードと同じ大きさにしておくとよい。）
【００３１】  古代文字カードは１枚のカードに１字ずつ古代文字が表示された学習用カードであり、意味を持ったパーツに分解されていて、当該分解されたパーツが持つ意味の概念別に色分けされて表示されている。使用する色彩は全ての古代文字カードで共通する特定のルールに従って統一されている。
【００３２】  共通する特定のルールとは、例えば、植物に関する物は「緑色」、人体の一部（「手」「足」など）に関する物は「オレンジ色」、人の形に関するものは「黄色」、人の呼び名（女、子等）に関する物は「ピンク色」（「女」を濃いピンク色、「子」を薄いピンク色）、家屋や木製の物は「茶色」、水に関する物は「水色」、火に関する物は「赤色」というように色分けする。それぞれの色は、前記色彩に限定されるものではなく、判別し易い色であればどの色でもよい。
【００３３】  学習効果を上げるため、植物は緑色、子どもは可愛らしいピンク色、材木を使った家屋には茶色という具合に、できるだけ学習者がそれぞれのパーツの表す物の概念を連想し易い色分けのルールの下で作成するとよい。また、子どもはきれいな色彩の方が興味を示しやすく、学習意欲も高まるので暖色系、寒色系に拘わらず印象に残る鮮やかな色彩を使用するとよい。
【００３４】  古代文字のパーツが表している物の概念を連想し易い色彩でルール化することにより、学習者は漢字をより記憶し易くなる。
【００３５】  また、古代文字は時代により甲骨文字、金文、篆文と形の異なる複数種が発見されているため、同じ漢字の古代文字カードでも時代毎に１〜３枚作成してもよい。この場合も、色分けのルールは古代文字カード全体の前記色分けルールに従う。また、複数種作成する場合には、それぞれの識別標識をカードに付すと学習指導者にとっては特に使い易くなる。古代文字の文字種が識別できるように、識別標識（「甲」「金」「篆」や色や数字に限るものではなく、アルファベットや○□△などの図形、あるいはそれらの組合せなど、古代文字も文字種が識別することができるものであればいかなる標識から構成されていてもよい。）を当該古代文字カードの同じ位置に付してもよい。（図示せず。）
【００３６】  図１は小学校１年生の配当漢字である「学」の古代文字カード１００である。「学」はもとの字は「學」であり、この字は４つのパーツを組み合わせた形である。Ａ色で表示されたパーツは左右の手で教え導くことを表し、Ｂ色で表示された部分は上のパーツが交差した木を表し、下のパーツが屋根の形を表し、Ｃ色で表示したパーツは子どもを表している。
【００３７】  Ａ色を例えば日本人の肌の色を連想させるオレンジ色、Ｂ色をたとえば材木や家屋を連想させる茶色、Ｃ色をたとえば可愛いらしさを連想する薄いピンク色で表す。
【００３８】  古代文字は低学年の児童にとっては上下が分かりにくいため、上下の識別が可能となるように、上下識別標識３（色や数字に限るものではなく、アルファベットや○□△などの図形、あるいはそれらの組合せなど、カードの上下が識別することができるものであればいかなる標識から構成されていてもよい。）を全ての古代文字カードの同じ位置に付す。
【００３９】  同様に、配当学年の識別が可能となるように、配当学年識別標識４（たとえば１年生の漢字は「１」、２年生の漢字は「２」等）を全古代文字カードの同じ位置に付す。この識別標識は、漢字指導者用であるため、古代文字カード１の地色に近い黄色など学習者には目立たない識別表示にすると、学習の妨げにならない。
【００４０】  古代文字の上下識別標識、配当学年識別標識、古代文字の文字種識別標識はそれぞれが混同しないように明確な識別標識を付す。
【００４１】  古代文字カード１００は、紙やプラスチックやマグネットシートでしっかりとした部材に古代文字を表示する。色紙（しきし）や厚紙に表示することにより容易に手作りすることもでき、子どもが使用をくり返しても破損することが少ない。特に色紙（しきし）で作ると、へたることがなく、手にとった際に他の人にも示しやすく、文字がはっきり見えて学習の妨げにならない。色紙（しきし）は様々な形状や大きさのものがあるが、複数枚を作成する場合は全ての古代文字カードを同一素材で作る方が収納もし易く、裏返したときの見分けがつかないので、トランプの神経衰弱ゲームのように様々なゲームに活用できる。また、電子記録媒体に記録して使用することも可能である。
【００４２】  次に、図２に本発明の実施形態を説明する。図中、共通するパーツを強調するために線を太くして表示している箇所がある。
【００４３】  学習者自身が独習用に使用することも可能であるが、ここでは漢字指導者が指導時に使用する実施例を記載する。（ａ）に示すように、指導者はまず学習者に、象形指示文字の成り立ちを示す古代文字のうち、パーツに分けることができない古代文字１０１とその漢字１１を見せて、成り立ちを説明する。本実施例の場合、「子」は子どもの形である。頭の大きな乳幼児を表していることを説明する。
【００４４】  その後、（ｂ）のように「子」の古代文字１０１と同じパーツが含まれる別の古代文字カード１００を学習者に見せる。これによって、どの古代文字が先に作られ（本実施例の場合は基本となる「子」）、それを使って次々と古代文字１０２が生み出されたのだということを知ることが可能となる。
【００４５】  提示した古代文字の説明をした後（ｃ）のように、（ｂ）で見せた古代文字１０１に対応する漢字１２を提示する。（本実施例の場合、「字」「学」。）初め「子」が作られ、「字」や「学」といった漢字が意味を足されて作られてきたことが、同じ色のパーツが含まれる古代文字を見比べることで理解できる。また、同じ物を表すパーツでも異なる形で存在することも読み取れる。（本実施例の場合、Ｂ色の屋根の部分。）
【００４６】  ばらばらのものを記憶するよりも、繋がりを持たせて芋づる式に覚える方が記憶効率はよく、また、思い出し易いことが知られている。色分けにより、同じ色の繋がりという手がかりをもとに記憶できる。
【００４７】  図３は図２で示した漢字指導の次の段階（発展学習）である。図中、共通のパーツを強調するために線を太くして表示している箇所がある。
【００４８】  図３（ａ）に示すように、次に指導者は学習者に、別の古代文字２０１とその漢字２１を見せて、成り立ちを説明する。本実施例の場合、「女」は女性がひざまずいて両手を前で交差している形であることを説明する。
【００４９】  その後、（ｂ）のように「女」の古代文字２０１と同じパーツが含まれる別の古代文字カード２００を学習者に見せる。これによって、どの古代文字が先に作られ（本実施例の場合は基本となる「女」）、それを使って次々と古代文字２０２が生み出されたのだということを知ることが可能となる。
【００５０】  提示した古代文字の説明をした後（ｃ）のように、（ｂ）で見せた古代文字２０２に対応する漢字２２を提示する。（本実施例の場合、「好」「母」「乳」。）
【００５１】  図４は図３で示した漢字指導の次の段階（発展学習）である。（ａ）では実施形態その１と実施形態その２で学習した漢字を組み合わせることで、新たな漢字が生み出されたことを、カードを並べて示すことで確認する。（本実施例の場合「子」＋「女」＝「好」。）
【００５２】  図５では、実施形態その１、その２に全く関連のないように見える漢字とその成り立ちを示す古代文字を学習者に示す。（本実施例の場合は「保」。）「保」は「人」の側身形を表すにんべんと「口」と「木」から成るように思われがちであるが、古代文字は人が子どもを背負った形から成る。「木」の説明をした後であれば、「木」の古代文字の色と「保」の「木」の部分の色が異なることで成り立ちが全く別のものであることを印象づける。形が似ている現代の漢字でも、古代文字のパーツから見比べることで、もともと全く異なる象形文字だったものが長い年月を経て、同じ形に変化したことが理解できる。また、形が似た漢字の成り立ちを混同することなく理解できる。
【００５３】  図６、図７、図８はグループ化の例である。それぞれ（ａ）が共通のパーツを含む古代文字であり、各図中太字で示したパーツが同じ意味のものを表し、同じ色で表示されている。（ｂ）が当該古代文字からできた漢字である。
【００５４】  このように古代文字をパーツ毎に色分けすることにより、学習者に与える印象は単色の表示よりも格段に強く、視覚的な影響が及ぼす学習効果は高くなる。また、グループ化により共通のパーツを含む漢字をまとめて覚えることができる。
【００５５】  以上説明したように、本実施形態によれば、漢字一字ずつの成り立ちではなく、古代文字の中の共通するパーツ別グループの成り立ちを系統立てて覚えられる漢字学習用具を提供することが可能となる。部首別のグループではなく、共通するパーツで自由にグループを作れるため、漢字指導者は自由な発想で指導計画を設定できる。
次にグループ化の一例を示す。
【００５６】「足」のパーツを含むグループ・・・「止」「歩」「出」「足」「走」「先」「正」
「人の形」のパーツを含むグループ・・・「人」「北」「比」「化」「大」「立」「文」「交」
「子」のパーツを含むグループ・・・「子」「字」「学」「保」「好」「流」「育」
「女」のパーツを含むグループ・・・「女」「好」「母」「乳」「安」
「火」のパーツを含むグループ・・・「火」「光」「炎」
「木」のパーツを含むグループ・・・「木」「林」「森」「未」「末」「本」
「田」のパーツを含むグループ・・・「田」「男」「町」
「白」のパーツを含むグループ・・・「白」「百」
「刀」のパーツを含むグループ・・・「刀」「切」「分」
「口」のパーツを含むグループ・・・「口」「兄」「右」
「目」のパーツを含むグループ・・・「目」「見」「直」「植」
【００５７】  前記の通り、同じ漢字でも抜き出すパーツによって別のグループを構成することができる。（「好」「見」など。）
【００５８】  なお、上記に本実施形態を説明したが、本発明はこれらの例に限定されるものではない。例えば、前述の実施形態に対して適宜、構成要素の追加、削除、設計変更を行ったものも、本発明の要旨を備えている限り、本発明の範囲に含有される。
【符号の説明】
【００５９】３・・・上下識別標識
４・・・配当学年識別標識
１０・・・漢字カード
１１・・・漢字
１２・・・漢字
２０・・・漢字カード
２１・・・漢字
２２・・・漢字
１００・・・古代文字カード（漢字学習用具）
１０１・・・基本パーツとなる古代文字
１０２・・・基本パーツを含む古代文字
２００・・・古代文字カード（漢字学習用具）
２０１・・・基本パーツとなる古代文字
２０２・・・基本パーツを含む古代文字
【図１】
2017097311.tif 000003
【図２】
2017097311.tif 000004
【図３】
2017097311.tif 000005
【図４】
2017097311.tif 000006
【図５】
2017097311.tif 000007
【図６】
2017097311.tif 000008
【図７】
2017097311.tif 000009
【図８】
2017097311.tif 000010
【手続補正書】
【提出日】平成27年12月5日(2015.12.5)
【手続補正１】
【補正対象書類名】特許請求の範囲
【補正対象項目名】全文
【補正方法】変更
【補正の内容】
【特許請求の範囲】
【請求項１】
漢字の成り立ちを示す古代文字を１枚のカードに１字表示した漢字学習用カードであって、前記古代文字を意味を持つパーツに分解し、当該パーツが表す意味を概念別に分類して、各概念別に特定のルールに従って色分けして表示したことを特徴とする漢字学習用具。
【請求項２】
前記漢字の成り立ちを示す古代文字を１枚のカードに１字ずつ表示した複数枚のカードからなる漢字学習用カードであって、個々の古代文字を、意味を持つパーツに分解し、当該パーツが表す意味を概念別に分類して、各概念別に全てのカードを特定のルールに従って色分けして表示し、パーツの種類に応じて複数の前記学習カードをグループ化することができることを特徴とする漢字学習用カードセット。
【請求項３】
前記学習カードに、上下を識別するための標識を付したことを特徴とする請求項１または２記載の漢字学習用具。
【請求項４】
前記学習カードに、文部科学省制定の漢字の配当学年を識別するための標識を付したことを特徴とする請求項１，２または３記載の漢字学習用具。
【請求項５】
前記学習カードは、色紙（しきし）をはじめとする厚手の紙製、プラスチック製、マグネット製シート等に表示されて記録されていることを特徴とする請求項１，２，３または４記載の漢字学習用具。
【請求項６】
前記学習カードは、電子記録媒体に記録されていることを特徴とする請求項１，２，３または４記載の漢字学習用具。
【手続補正書】
【提出日】平成27年12月5日(2015.12.5)
【手続補正１】
【補正対象書類名】明細書
【補正対象項目名】全文
【補正方法】変更
【補正の内容】
【発明の詳細な説明】
【技術分野】
【０００１】  本発明は、漢字学習用具に関し、より詳しくは、漢字の成り立ちを示す古代文字を、意味を持つパーツに分解した上で、当該パーツが表す意味を概念別に色分けして表示することにより効率よく漢字を学習するための漢字学習用具に関する。
【背景技術】
【０００２】  漢字を覚えるための従来の技術としては、漢字や古代文字を１字ずつそれぞれ１枚のカードに単色で記載した漢字学習用具がある。【０００３】  従来、漢字を覚えるためには漢字を繰り返しノートに書いたり、クイズ形式の電子式漢字ゲームなどを使用したりして暗記していた。書き取りは単調な作業であり、ともすると形を覚えるだけの作業になりがちであった。罰則として大量の漢字の書き取りを児童に課すことは漢字嫌いや漢字離れを招く一因となるとして、近年では教育現場で問題にもなっている。またテレビゲームや携帯式ゲーム機器での漢字ゲームでは、１字１字の書き順や読み方については楽しく記憶できても、漢字の成り立ちから漢字を系統立てて理解するという効果まで期待できる内容のものがなかった。【０００４】  これら問題点を解消するために、漢字カードと称されるカード式の漢字学習用具がある。漢字の成り立ちを表す古代文字を用い、現代の漢字と古代文字を関連づけることで漢字や部首を覚えやすくする目的で作られたものである。【０００５】  特許文献１には、漢字の部首と、部首の成り立ちを示す古代文字と、古代文字の成り立ちを示す絵文字と、部首と絵文字とを関連づけて覚えるための唱え言葉を表示するカードが開示されている。「絵文字から古代文字、そして部首への形の変化をみたり、唱え言葉を唱えることにより、学習が単調になるのを防ぐことができ、部首を楽しく覚えることができ」、また、これらカードは１９０種類の部首を１２種類のグループに分類でき、部首の種類に応じて複数組の学習カードをグループ化して、整理して使用できるので学習効果を上げることが可能であるとしている。【０００６】  また、特許文献２には、基本漢字（象形指示文字）と、基本漢字（象形指示文字）の成り立ちを示す古代文字と、古代文字の成り立ちを示す絵文字と、基本漢字（象形指示文字）と絵文字とを関連づけて暗記するための唱え言葉を表示するカードが開示されている。これらカードは象形文字や指示文字（以下、「象形指事文字」と称す。）と呼ばれる基本漢字１０１字より成り、その他の会意文字や形声文字（以下、「会意形声文字」と称す。）がそれらの組合せで成り立つことから、基本漢字１０１字を覚えることで殆どの漢字を簡単に覚えることが可能であるとしている。
【先行技術文献】
【特許文献】
【０００７】
【特許文献１】特公平７−５２３１６号公報
【特許文献２】特公平７−５２３１７号公報
【発明の概要】
【発明が解決しようとする課題】
【０００８】  しかしながら、特許文献１、２のいずれの技術においても古代文字を表示したカードは１枚のカードに１字の古代文字を単色で記載しただけの構成である。更に使用する古代文字カードは、特許文献１では部首のもととなる漢字の成り立ちを示す古代文字カード、特許文献２では、基本漢字（象形指示文字）１０１の成り立ちを示す古代文字カードのみで構成される。部首だけではなくひとつひとつの漢字の成り立ちを学習する場合や、基本的な象形文字以外の漢字を学習する場合には、これらのカードだけでは多くの説明を必要とする。古代文字が意味を持つ複数のパーツから構成されている場合は、まず古代文字の分解作業から着手しなければならないので効率が悪い。特に漢字学習の初期段階にある小学校低学年児童、未就学児、外国人にとっては、会意形声文字の成り立ちを示す古代文字を、意味を持つパーツに分解する作業は困難である。【０００９】特許文献１の学習カードでは１９０種類の部首を１２種類のグループに分類しており、部首になる代表的な象形文字１２種類を覚えることで全ての部首が覚えられる仕組みである旨記載されている。特許文献１の学習カードの作用は部首を覚えることに限定されているので、当該学習カードは一通り漢字を習得している学習者が部首部分の記憶定着や復習をするには適しているが、漢字の初期段階の学習者には不向きである。【００１０】  特許文献２の学習カードでは１０１種類の基本漢字（象形指示文字）を覚えることで、これらの組み合わせでできている会意形声文字をすべて簡単に覚えることができる旨記載されているが、漢字は長い歴史の中でまったく違うものを表す部分が同じ形に統合されてしまうことや、同じものを表す部分が違う形になってしまうこともあるため、会意形声文字を分解したものが、それぞれのパーツに対応する基本漢字（象形文字）の意味を持つとは限らない。【００１１】  たとえば、「保」という字は外観上は「人」の側身形を表すにんべんと「口」と「木」に分解されるが、「保」の成り立ちを示す古代文字を、意味を持つパーツに分解すると「人」と「子ども」と「産着」になる。子どもを表すパーツが「子」という形にならずに「呆」という形に変わってしまった例である。「人」「口」「木」の成り立ちをそれぞれ知っていても、「保」の漢字の成り立ちを知ることはできない。このように、古代文字の分解は非常に高度な作業であるため、たとえ１０１種類の基本漢字を習得しても、すべての会意文字の成り立ちを理解することには到達し得ない。【００１２】  更に、先行技術文献記載のいずれの漢字学習用具も、漢字の部首と基本漢字（象形指示文字）の暗記には役立つが、漢字の殆どを占める、より複雑な会意形声文字の学習においては、基本漢字（象形指示文字）のどの部分が会意形声文字のどの部分に対応しているかまでは分かりにくい。これを理解し、多くの漢字を効率よく学習するためには、会意形声文字の成り立ちをはっきり示す古代文字カードが必要となる。【００１３】  小学校の配当漢字全体では、象形文字が約１６％、指示文字が約３％、会意文字が約２１％、形声文字が約５９％、その他は１％未満である。（平凡社出版福井県教育委員会発行の『白川静博士の漢字の世界へ』を��とに分類したが、六書の分類は複雑であり、資料によっては別の記述が書かれているものもある。分類の仕方は、研社者や辞書によって多少異なっても、上記パーセンテージが大きく変わることはない。）【００１４】  小学校１年生の配当漢字８０字を例にとると、８０字のうち象形文字は３９字、指示文字は９字、会意文字は１７字、形声文字は１０字、その他が５字となる。（前出の平凡社出版福井県教育委員会発行『白川静博士の漢字の世界へ』をもとに分類。）【００１５】  １年生での象形指示文字は１年生配当漢字全体の６０％、形声会意文字は３４％になる。象形文字は漢字の偏や旁になるものが多いので低学年でその多くを学ぶため、上記のようなパーセンテージになる。そしてこれら象形指示文字の組み合わせにより、形声会意文字は作られる。象形指示文字の成り立ちを示す古代文字は単純な絵から成り立つため、漢字学習の初期段階にある学習者でも理解し易いが、形声会意文字はこれら象形指示文字を複数組み合わせて成り立つため、象形指示文字よりも学習の難易度は上がる。会意形声文字の成り立ちを示す古代文字カードがなければ、小学校１年生の配当漢字であっても、応用力だけで古代文字と関連づけて学習することは難しい。【００１６】  小学校１年生の配当漢字の会意文字の中で、たとえば「学」の古代文字は４つのパーツから成っている。学習者は、「学」の古代文字が意味を持った４つのパーツに分解されるということも理解し難い。本願発明のように意味を持つパーツ別に色分け表示されていれば学習者はどのように分解されているのかが一目で理解できる。色を手掛かりに多くの漢字の成り立ちを理解し易くなる。【００１７】小学校１年生の漢字学習から２年生の漢字学習へと（あるいは、漢字学習の初期段階から次の段階へと）スムースに学習者の漢字への興味を繋げていくためには、まずは象形指示文字の理解が必要であり、次に形声会意文字の理解が必要である。またそのためには象形指示文字と形声会意文字との関係をしっかりと理解することが前提となる。特許文献２記載の漢字学習用具によって、小学校配当漢字の全体の約１９％である象形指示文字の成り立ちを示す古代文字を理解することは、同じく小学校配当漢字の全体の約８０％を占める形声会意文字の成り立ちを示す古代文字を理解することの一助にはなるが、その先の象形指示文字より複雑な形声会意文字の学習に繋げることは難しい。【００１８】  本発明の目的は、部首や基本漢字（象形指示文字）に限らず、古代文字を意味を持ったパーツに分解し、個々のパーツを意味の概念別に全体に共通する特定のルールに従って色分けして表示することにより、ひとつひとつの古代文字がどのようにして作られたかを効率良く理解させて漢字を覚えやすくすること、同じパーツを含む古代文字同士がどのようにアレンジされて増えてきたのかまで学習者に効率良く理解させて漢字に興味を持たせ、象形指示文字と形声会意文字との関係を理解させることにより、漢字を覚えやすくすることが可能な漢字学習用具を提供することである。【００１９】  漢字学習の初期段階において、個々の漢字の成り立ちにとどまらず、漢字同士がどのように関係しどのように増えてきたかという漢字全体の発展や変化の流れ���知ることは、学習者に漢字に興味を持たせ学習意欲を向上させる契機となる。漢字をばらばらに覚えるのではなく、まとまったグループとして学習することで覚えやすくなる。
【課題を解決するための手段】
【００２０】  上記課題を解決するため、本発明の漢字学習用具は、部首や基本漢字（象形指示文字）に限らず、覚えようとする漢字の成り立ちを示す古代文字を、意味を持つパーツに分解し、当該分解されたパーツを、意味別に全体で共通した特定のルールに従って色分けして表示し、一目で古代文字の構成パーツを判別できるようにし、更に古代文字を構成する特定のパーツ別に容易にグループ化可能であることを特徴とする。【００２１】  たとえば「子」の古代文字は乳幼児の体を表している。この乳幼児の体を表す古代文字の分解パーツは「字」「学」「好」のほか「保」「流」「育」にも含まれている。「字」「学」「好」は古代文字の中に「子」のパーツを見つけることが容易であるが、「保」「流」「育」の中に「子」のパーツを一目で見出すことは難しい。複数の古代文字カードにおいて、全ての古代文字のパーツが全体に共通する特定のルールに従って色分け表示されていれば、これらをひとつのグループとして漢字学習者に示すことで、学習者は「子」の古代文字がまず先に作られ、これをもとに「字」「学」「好」「保」「流」「育」などの古代文字が作られたであろうことを理解できる。こうした繋がりと流れを知ることで、漢字を覚えやすくし、忘れにくくする。【００２２】  同様に「女」の古代文字は女性がひざまずいて両手を前で組んでいる姿を表している。この女性の姿を表す古代文字の分解パーツは「好」のほか「母」「乳」にも含まれている。「好」「母」は古代文字が単色で表されていても「女」のパーツを見つけることは容易であるが、「乳」は難しい。これらをひとつのグループとして漢字学習者に示すことで、学習者は「女」の古代文字がまず先に作られ、これを元に「好」「母」「乳」などが作られたであろうことを理解できる。繰り返しになるが、こうした繋がりと流れを知ることで、漢字を覚えやすくし、忘れにくくする。【００２３】  「子」と「女」のパーツを組み合わせることで、「好」という新しい漢字が作り出されたであろうということも理解しうる。更に「女性が子どもをいつくしむ姿」という物語性を漢字「好」に与え、漢字を覚えやすくする。【００２４】  このような構成によれば、学習者は古代文字がどのようにして作られ、どのようにアレンジされて増えてきたのかまで容易に理解できる。単純な暗記作業で漢字を覚えるのではなく、漢字を作り出した人たちの気持を想像しながら、古代文字の成り立ちや漢字と漢字の繋がりを知り、また、特定のパーツ別にグループ化して学習することで、部首毎の機械的な暗記ではなく、成り立ちや由来別に系統立てて覚えることが可能であるため暗記効率が良い。
【発明の効果】
【００２５】  本発明によれば、個々の漢字の成り立ちだけではなく、古代文字を構成する意味別パーツの色彩によって、共通するパーツ別グループを作ることが容易であり、これにより、成り立ちを系統立てて覚えられる漢字学習用具を提供することが可能となる。一目で各古代文字の中の共通するパーツが認識可能であり、たくさんの漢字をグループ別に関連づけて学習できるので、覚えやすく、記憶に残る。【００２６】  本発明の学習カードは個々のパーツの意味が分からない時でも、パーツの色をヒントにしてパーツの意味を予想することができるため、漢字学習の初期段階にある小学校低学年、未就学児や外国人の漢字学習に好適である。また、漢字指導者は文部科学省制定の各学年配当漢字を基本に、パーツ毎に色分けされた古代文字カードであれば授業での指導対象とする漢字を選びやすく、指導計画（学習範囲や指導時間）を設定し易いという利点もある。【００２７】  古代文字を判別しやすい鮮やかな色彩で表示することにより、学習者にとって古代文字の分解された各パーツの印象は深まり、単調な記憶作業ではなく、視覚に訴えて記憶効率は高まり、楽しく学習することができる。漢字カードを併用して、カルタ形式により多人数で楽しみながらの学習も可能である。また、裏面を同一に仕上げることで、トランプの神経衰弱ゲームのように使用することも可能である。学習者や学習指導者の工夫次第で様々な使い方ができる。
【図面の簡単な説明】
【００２８】
【図１】本発明の漢字学習用具の一例を示した正面図である。
【図２】本実施形態に係る漢字学習用具を説明する正面図（その１）である。（ａ）任意に選び出した基本となる象形指示文字の漢字カードと当該漢字の成り立ちを示す古代文字カード（ｂ）前記（ａ）の古代文字カードに表されているパーツと同じパーツを含む別の古代文字カードグループ（ｃ）前記（ｂ）で示した古代文字をもとにできた漢字カードグループ
【図３】本実施形態に係る漢字学習用具を説明する正面図（その２）である。（ａ）任意に選び出した基本となる象形指示文字の漢字カードと当該漢字の成り立ちを示す古代文字カード（ｂ）前記（ａ）の古代文字カードに表されているパーツと同じパーツを含む別の古代文字カードグループ（ｃ）前記（ｂ）で示した古代文字をもとにできた漢字カードグループ
【図４】本実施形態に係る漢字学習用具を説明する正面図（その３）である。（ａ）その１、その２で学習した古代文字カードと、それらを組合せてできた会意文字の成り立ちを示す古代文字カード（ｂ）前記（ａ）で示した古代文字からできた漢字カード
【図５】本実施形態に係る漢字学習用具を説明する正面図（その４）である。
【図６】グループ化の一例を示す正面図である。（ａ）「足」のパーツを含むグループの古代文字カード（ｂ）前記（ａ）で示した古代文字から成る漢字カード
【図７】グループ化の一例を示す正面図である。（ａ）「子」のパーツを含むグループの古代文字カード（ｂ）前記（ａ）で示した古代文字から成る漢字カード
【図８】グループ化の一例を示す正面図である。（ａ）「木」のパーツを含むグループの古代文字カード（ｂ）前記（ａ）で示した古代文字から成る漢字カード
【発明を実施するための形態】
【００２９】  以下、本発明の実施形態を図面に基づいて説明する。なお、以下の説明では、同一部分には同一の符号を付し、一度説明した部分については適宜その説明を省略する。また、図中の古代文字は強調したい部分を誇張して表していることもある。
【００３０】［漢字学習用具の構成］
以下、漢字記載のカードを「漢字カード」、古代文字記載のカード（本願発明品）を「古代文字カード」と称する。漢字カードについては本願発明の古代文字カードを使用する際の補助的な漢字学習用具であり、仕様については特段の指定はなく、いかなる仕様であってもよい。（収納のし易さを考慮するならば、古代文字カードと同じ大きさにしておくとよい。）
【００３１】  古代文字カードは１枚のカードに１字ずつ古代文字が表示された学習用カードであり、意味を持ったパーツに分解されていて、当該分解されたパーツが持つ意味の概念別に色分けされて表示されている。使用する色彩は全ての古代文字カードで共通する特定のルールに従って統一されている。
【００３２】  共通する特定のルールとは、例えば、植物に関する物は「緑色」、人体の一部（「手」「足」など）に関する物は「オレンジ色」、人の形に関するものは「黄色」、人の呼び名（女、子等）に関する物は「ピンク色」（「女」を濃いピンク色、「子」を薄いピンク色）、家屋や木製の物は「茶色」、水に関する物は「水色」、火に関する物は「赤色」というように色分けする。それぞれの色は、前記色彩に限定されるものではなく、判別し易い色であればどのような色でもよい。
【００３３】  学習効果を上げるため、植物は緑色、子どもは可愛らしいピンク色、材木を使った家屋には茶色という具合に、できるだけ学習者がそれぞれのパーツの表す物の概念を連想し易い色分けのルールの下で作成するとよい。また、子どもはきれいな色彩の方が興味を示しやすく、学習意欲も高まるので暖色系、寒色系に拘わらず印象に残る鮮やかな色彩を使用するとよい。
【００３４】  古代文字のパーツが表している物の概念を連想し易い色彩でルール化することにより、学習者は古代文字の各パーツの持つ意味を把握し易く、結果として漢字の成り立ちを理解し易くなり、漢字をより記憶し易くなる。
【００３５】  また、古代文字は時代により甲骨文字、金文、篆文と形の異なる複数種が発見されているため、同じ漢字の古代文字カードでも時代毎に１〜３枚作成してもよい。この場合も、色分けのルールは古代文字カード全体の前記色分けルールに従う。また、複数種作成する場合には、それぞれの識別標識をカードに付すと学習指導者にとっては特に使い易くなる。古代文字の文字種が識別できるように、識別標識（「甲」「金」「篆」や色や数字に限るものではなく、アルファベットや○□△などの図形、あるいはそれらの組合せなど、古代文字の文字種が識別することができるものであればいかなる標識から構成されていてもよい。）を当該古代文字カードの同じ位置に付してもよい。（図示せず。）
【００３６】  図１は小学校１年生の配当漢字である「学」の古代文字カード１００である。「学」はもとの字は「學」であり、この字は４つのパーツを組み合わせた形である。Ａ色で表示されたパーツは左右の手で教え導くことを表し、Ｂ色で表示された部分は上のパーツが交差した木（千木）を表し、下のパーツが屋根の形を表し、Ｃ色で表示したパーツは子どもを表している。
【００３７】  Ａ色をたとえば日本人の肌の色を連想させるオレンジ色、Ｂ色をたとえば材木や家屋を連想させる茶色、Ｃ色をたとえば可愛いらしさを連想する薄いピンク色で表す。
【００３８】  古代文字は低学年の児童にとっては上下が分かりにくいため、上下の識別が可能となるように、上下識別標識３（色や数字に限るものではなく、アルファベットや○□△などの図形、あるいはそれらの組合せなど、カードの上下が識別することができるものであればいかなる標識から構成されていてもよい。）を全ての古代文字カードの同じ位置に付す。
【００３９】  同様に、配当学年の識別が可能となるように、配当学年識別標識４（たとえば１年生の漢字は「１」、２年生の漢字は「２」等）を全古代文字カードの同じ位置に付す。この識別標識は、漢字指導者用であるため、古代文字カード１００の地色に近い黄色など学習者には目立たない識別表示にすると、学習の妨げにならない。
【００４０】  古代文字の上下識別標識３、配当学年識別標識４、古代文字の文字種識別標識はそれぞれが混同しないように明確な識別標識を付す。いずれも全ての古代文字カードで統一したルールで付す。
【００４１】  古代文字カード１００は、紙やプラスチックやマグネットシートでしっかりとした部材に古代文字を表示する。色紙（しきし）や厚紙に表示することにより容易に手作りすることもでき、子どもが使用をくり返しても破損することが少ない。特に色紙（しきし）で作ると、へたることがなく、複数の学習者を対象とした授業において漢字指導者が使用する場合なども、手にとった際に他の学習者にも示しやすく、文字がはっきり見えて学習の妨げにならない。色紙（しきし）は様々な形状や大きさのものがあるが、複数枚を作成する場合は全ての古代文字カードを同一素材で作る方が収納もし易く、裏返したときの見分けがつかないので、トランプの神経衰弱ゲームのように様々なゲームに活用できる。また、電子記録媒体に記録して使用することも可能である。
【００４２】  次に、図２に本発明の実施形態を説明する。図中、図面理解容易のため共通するパーツを線を太くして表示している箇所がある。
【００４３】  学習者自身が独習用に使用することも可能であるが、ここでは漢字指導者が指導時に使用する実施例を記載する。（ａ）に示すように、指導者はまず学習者に、象形指示文字の成り立ちを示す古代文字のうち、パーツに分けることができない古代文字１０１とその漢字１１を見せて、成り立ちを説明する。本実施例の場合、「子」は子どもの形である。頭の大きな乳幼児を表していることを説明する。
【００４４】  その後、（ｂ）のよう「子」の古代文字１０１と同じパーツが含まれる別の古代文字カード１００を学習者に見せる。これによって、どの古代文字が先に作られ（本実施例の場合は基本となる「子」）、それを使って次々と古代文字１０２が生み出されたのであろうということを知ることが可能となる。
【００４５】  提示した古代文字の説明をした後（ｃ）のように、（ｂ）で見せた古代文字１０２に対応する漢字１２を提示する。（本実施例の場合、「字」「学」。）初めに「子」が作られ、「字」や「学」といった漢字が意味を足されて作られてきたことが、同じ色のパーツが含まれる古代文字を見比べることで理解できる。また、同じ物を表すパーツでも異なる形で存在することも読み取れる。（本実施例の場合、Ｂ色の屋根の部分。）
【００４６】  ばらばらのものを記憶するよりも、繋がりを持たせていわゆる「芋づる式」に覚える方が記憶効率はよく、また、思い出し易いことが知られている。色分けにより、同じ色の繋がりという手がかりをもとに記憶できる。視覚的効果によって記憶効率は更に上がる。
【００４７】  図３は図２で示した漢字指導の次の段階（発展学習）である。図中、図面理解容易のため共通のパーツを線を太くして表示している箇所がある。
【００４８】  図３（ａ）に示すように、次に指導者は学習者に、別の古代文字２０１とその漢字２１を見せて、成り立ちを説明する。本実施例の場合、「女」は女性がひざまずいて両手を前で交差している形であることを説明する。
【００４９】  その後、（ｂ）のように「女」の古代文字２０１と同じパーツが含まれる別の古代文字カード２００を学習者に見せる。これによって、どの古代文字が先に作られ（本実施例の場合は基本となる「女」）、それを使って次々と古代文字２０２が生み出されたのであろうことを知ることが可能となる。
【００５０】  提示した古代文字の説明をした後（ｃ）のように、（ｂ）で見せた古代文字２０２に対応する漢字２２を提示する。（本実施例の場合、「好」「母」「乳」。）
【００５１】  図４は図３で示した漢字指導の次の段階（発展学習）である。（ａ）では実施形態その１と実施形態その２で学習した漢字を組み合わせることで、新たな漢字が生み出されたことを、カードを並べて示すことで確認する。（本実施例の場合「子」＋「女」＝「好」。）
【００５２】  図５では、実施形態その１、その２に全く関連のないように見える漢字とその成り立ちを示す古代文字を学習者に示す。（本実施例の場合は「保」。）「保」は「人」の側身形を表すにんべんと「口」と「木」から成るように思われがちであるが、古代文字は人が子どもを背負った形から成る。「木」の説明をした後であれば、「木」の古代文字の色と「保」の「木」の部分の色が異なることで成り立ちが全く別のものであることを印象づける。形が似ている現代の漢字でも、古代文字のパーツから見比べることで、もともと全く異なる象形文字だったものが長い年月を経て、同じ形に変化したことが理解できる。また、形が似た漢字の成り立ちを混同することなく理解できる。
【００５３】  図６、図７、図８はグループ化の例である。それぞれ（ａ）が共通のパーツを含む古代文字であり、各図中太字で示したパーツが同じ意味のものを表し、同じ色で表示されている。図６（ａ）、図７（ａ）のように、同じ意味のパーツでも形が異なるものも多い。こうした場合でも、パーツの意味の識別に色分けは効果的である。（ｂ）が当該古代文字からできた漢字である。
【００５４】  このように古代文字をパーツ毎に色分けすることにより、漢字の成り立ちは理解し易く、学習者に与える印象は単色の表示よりも格段に強く、視覚的な影響が及ぼす学習効果は高くなる。カラフルな見た目により楽しく学習できる。また、色を手掛かりとしてグループ化し易く、グループ化により共通のパーツを含む漢字をまとめて覚えることができる。
【００５５】  以上説明したように、本実施形態によれば、漢字一字ずつの成り立ちではなく、古代文字の中の共通するパーツ別グループの成り立ちを系統立てて覚えられる漢字学習用具を提供することが可能となる。部首別のグループではなく、共通するパーツで自由にグループを作れるため、漢字指導者にとっても自由な発想で指導計画を設定できるという利点がある。次にグループ化の一例を示す。
【００５６】「足」のパーツを含むグループ・・・「止」「歩」「出」「足」「走」「先」「正」「兄」「見」「光」
「人の形」のパーツを含むグループ・・・「人」「北」「比」「化」「大」「立」「文」「交」
「子」のパーツを含むグループ・・・「子」「字」「学」「保」「好」「流」「育」
「女」のパーツを含むグループ・・・「女」「好」「母」「乳」「安」
「火」のパーツを含むグループ・・・「火」「光」「炎」
「木」のパーツを含むグループ・・・「木」「林」「森」「未」「末」「本」
「田」のパーツを含むグループ・・・「田」「男」「町」
「白」のパーツを含むグループ・・・「白」「百」
「刀」のパーツを含むグループ・・・「刀」「切」「分」
「口」のパーツを含むグループ・・・「口」「兄」「右」
「目」のパーツを含むグループ・・・「目」「見」「直」「植」
【００５７】  前記の通り、同じ漢字でも抜き出すパーツによって別のグループを構成することができる。（「好」「見」「先」「兄」「光」。）
【００５８】  なお、上記に本実施形態を説明したが、本発明はこれらの例に限定されるものではない。例えば、前述の実施形態に対して適宜、構成要素の追加、削除、設計変更を行ったものも、本発明の要旨を備えている限り、本発明の範囲に含まれる。
【符号の説明】
【００５９】３・・・上下識別標識
４・・・配当学年識別標識
１０・・・漢字カード
１１・・・漢字
１２・・・漢字
２０・・・漢字カード
２１・・・漢字
２２・・・漢字
１００・・・古代文字カード（漢字学習用具）
１０１・・・基本パーツとなる古代文字
１０２・・・基本パーツを含む古代文字
２００・・・古代文字カード（漢字学習用具）
２０１・・・基本パーツとなる古代文字
２０２・・・基本パーツを含む古代文字
【手続補正書】
【提出日】平成28年8月12日(2016.8.12)
【手続補正１】
【補正対象書類名】明細書
【補正対象項目名】全文
【補正方法】変更
【補正の内容】
【発明の詳細な説明】
【技術分野】
【０００１】  本発明は、漢字学習用具に関し、より詳しくは、漢字の成り立ちを示す古代文字を、意味を持つパーツに分解した上で、当該パーツが表す意味を概念別に色分けして表示することにより効率よく漢字を学習するための漢字学習用具に関する。
【背景技術】
【０００２】  漢字を覚えるための従来の技術としては、漢字や古代文字を１字ずつそれぞれ１枚のカードに単色で記載した漢字学習用具がある。【０００３】  従来、漢字を覚えるためには漢字を繰り返しノートに書いたり、クイズ形式の電子式漢字ゲームなどを使用するなどして暗記していた。書き取りは単調な作業であり、ともすると形を覚えるだけの作業になりがちであった。罰則として大量の漢字の書き取りを児童に課すことは漢字嫌いや漢字離れを招く一因となるとして、近年では教育現場で問題にもなっている。またテレビゲームや携帯式ゲーム機器での漢字ゲームでは、１字１字の書き順や読み方については楽しく記憶できても、漢字の成り立ちから漢字を系統立てて理解するという効果まで期待できる内容のものがなかった。【０００４】  これら問題点を解消するために、漢字カードと称されるカルタ様の漢字学習用具がある。漢字の成り立ちを表す古代文字を用い、現代の漢字と古代文字を関連づけることで漢字や部首を覚えやすくする目的で作られたものである。【０００５】  特許文献１には、漢字の部首と、部首の成り立ちを示す古代文字と、古代文字の成り立ちを示す絵文字と、部首と絵文字とを関連づけて覚えるための唱え言葉を表示するカードが開示されている。これらカードは１９０種類の部首を１２種類のグループに分類しており、部首の種類に応じて複数組の学習カードをグループ化して使用することが可能である。【０００６】  また、特許文献２には、基本漢字（象形指示文字）と、基本漢字（象形指示文字）の成り立ちを示す古代文字と、古代文字の成り立ちを示す絵文字と、基本漢字（象形指示文字）と絵文字とを関連づけて暗記するための唱え言葉を表示するカードが開示されている。これらカードは象形文字や指示文字（以下、「象形指事文字」と称す。）と呼ばれる基本漢字１０１字より成り、その他の会意文字や形声文字（以下、「会意形声文字」と称す。）がそれらの組合せで成り立つことから、基本漢字１０１字を覚えることで殆どの漢字を簡単に覚えることが可能であるとしている。
【先行技術文献】
【特許文献】
【０００７】
【特許文献１】特公平７−５２３１６号公報
【特許文献２】特公平７−５２３１７号公報
【発明の概要】
【発明が解決しようとする課題】
【０００８】  しかしながら、特許文献１、２のいずれの技術においても古代文字を表示したカードは１枚のカードに１字の古代文字を単色で記載しただけの構成であり、部首のもととなる漢字の成り立ちを示す古代文字カードと基本漢字（象形指示文字）１０１の成り立ちを示す古代文字カードのみで構成される。これらの応用で基本漢字１０１以外の漢字の成り立ちも理解できると記載されているが、古代文字が意味を持つ複数のパーツから構成されている場合は、まず古代文字の分解作業から着手しなければならない。部首だけではなくひとつひとつの漢字の成り立ちを学習する時や、基本的な象形文字以外の漢字を学習する時には古代文字の分解作業が必要であり効率が悪い。特に漢字学習の初期段階にある小学校低学年児童、未就学児、外国人にとっては、会意形声文字の成り立ちを示す古代文字を、意味を持つパーツに分解する作業は困難である。【０００９】また、特許文献１の学習カードでは１９０種類の部首を１２種類のグループに分類しており、部首になる代表的な象形文字１２種類を覚えることで全ての部首が覚えられる仕組みである旨記載されている。特許文献１の学習カードの作用は部首を覚えることに限定されているので、当該学習カードは一通り漢字を習得している学習者が部首部分の記憶定着や復習をするには適しているが、漢字の初期段階の学習者には不向きである。【００１０】  特許文献２の学習カードでは１０１種類の基本漢字（象形指示文字）を覚えることで、これらの組み合わせでできている会意形声文字をすべて簡単に覚えることができる旨記載されているが、漢字は長い歴史の中でまったく違うものを表す部分が同じ形に統合されてしまうこともあるため、会意形声文字を分解したものが、それぞれのパーツに対応する基本漢字（象形文字）の意味を持つとは限らない。【００１１】  たとえば、「保」という字は外観上は「人」の側身形を表すにんべんと「口」と「木」に分解されるが、「保」の成り立ちを示す古代文字を、意味を持つパーツに分解すると「人」と「子ども」と「産着」になる。子どもを表すパーツが「子」という形にならず「呆」という形に変わってしまった例である。「人」「口」「木」の成り立ちをそれぞれ知っていても、「保」の漢字の成り立ちを知ることはできない。このように、古代文字の分解は非常に高度な作業であるため、たとえ１０１種類の基本漢字を習得しても、すべての会意文字の成り立ちを理解することには到達し得ない。【００１２】  更に、先行技術文献記載のいずれの漢字学習用具も、漢字の部首と基本漢字（象形指示文字）の暗記には役立つが、漢字の殆どを占める、より複雑な会意形声文字の学習においては、基本漢字（象形指示文字）のどの部分が会意形声文字のどの部分に対応しているかまでは分かりにくい。効率よく学習するためには、会意形声文字の成り立ちを示す古代文字カードが必要となる。【００１３】  小学校の配当漢字全体では、象形文字約１６％、指示文字が約３％、会意文字が約２１％、形声文字が約５９％、その他は１％未満である。（分類の仕方は、研究者や辞書によって多少異なるが、上記パーセンテージが大きく変わることはない。）【００１４】  小学校１年生の配当漢字８０字を例にとると、８０字のうち象形文字は３９字、指示文字は９字、会意文字は１７字、形声文字は１０字、その他が５字となる。（平凡社出版福井県教育委員会発行の『白川静博士の漢字の世界へ』をもとに分類したが、六書の分類は複雑であり、資料によっては別の記述が書かれているものもある。）【００１５】  １年生での象形指示文字は１年生配当漢字全体の６０％、形声会意文字は３４％になる。象形文字は漢字のへんやつくりになるものが多いので低学年でその多くを学ぶため、上記のようなパーセンテージになる。そしてこれら象形指示文字の組み合わせにより、形声会意文字は作られる。象形指示文字の成り立ちを示す古代文字は漢字学習の初期段階にある学習者でも、単純な絵から成り立つため理解し易いが、形声会意文字はこれら象形指示文字を複数組み合わせて成り立つため、象形指示文字よりも学習の難易度は上がる。会意形声文字の成り立ちを示す古代文字カードがなければ、小学校１年生の配当漢字を全て古代文字と関連づけて学習することは難しい。【００１６】  小学校１年生の配当漢字の会意文字の中で、たとえば「学」の古代文字は４つのパーツから成っている。学習者は、「学」の古代文字が意味を持った４つのパーツに分解されるということも理解し難い。本願発明のように意味を持つパーツ別に色分け表示されていれば学習者はどのように分解されているのかが一目で理解できる。【００１７】小学校配当漢字の全体の約１９％である象形指示文字の成り立ちを示す古代文字を理解することは、同じく小学校配当漢字の全体の約８０％を占める形声会意文字の成り立ちを示す古代文字を理解することの一助にはなるが、象形指示文字からより複雑な形声会意文字の学習においては活用するのは難しい。【００１８】  本発明の目的は、部首や基本漢字（象形指示文字）に限らず、古代文字を意味を持ったパーツに分解し、個々のパーツを意味の概念別に全体に共通する特定のルールに従って色分けして表示することにより、ひとつひとつの古代文字がどのようにして作られたかを効率良く理解させて漢字を覚えやすくすること、同じパーツを含む古代文字同士がどのようにアレンジされて増えてきたのかまでを学習者に効率良く理解させて漢字を覚えやすくすることが可能な漢字学習用具を提供することである。【００１９】  漢字学習の初期段階において、個々の漢字の成り立ちにとどまらず、漢字同士がどのように関係しどのように増えてきたかという漢字全体の発展や変化の流れを知ることは、学習者に漢字に興味を持たせ学習意欲を向上させる契機となる。漢字をばらばらに覚えるのではなく、まとまったグループとして学習することで覚えやすい。
【課題を解決するための手段】
【００２０】  上記課題を解決するため、本発明の漢字学習用具は、部首や基本漢字（象形指示文字）に限らず、覚えようとする漢字の成り立ちを示す古代文字を、意味を持つパーツに分解し、当該分解されたパーツを、意味別に全体で共通した特定のルールに従って色分けして表示し、一目で古代文字の構成パーツを判別できるようにし、古代文字を構成する特定のパーツ別に容易にグループ化可能であることを特徴とする。【００２１】  たとえば「子」の古代文字は乳幼児の体を表している。この乳幼児の体を表す古代文字の分解パーツは「字」「学」「好」のほか「保」「流」「育」にも含まれている。「字」「学」「好」は古代文字の中に「子」のパーツを見つけることが容易であるが、「保」「流」「育」の中に「子」のパーツを一目で見出すことは難しい。複数の古代文字カードにおいて、全ての古代文字のパーツが全体に共通する特定のルールに従って色分け表示されていれば、これらをひとつのグループとして漢字学習者に示すことで、学習者は「子」の古代文字がまず先に作られ、これをもとに「字」「学」「好」「保」「流」「育」などが作られたことを理解できる。こうした繋がりと流れを知ることで、漢字を覚えやすくし、忘れにくくする。【００２２】  同様に「女」の古代文字は女性がひざまずいて両手を前で組んでいる姿を表している。この女性の姿を表す古代文字の分解パーツは「好」のほか「母」「乳」にも含まれている。「好」「母」は古代文字が一色で表されていても「女」のパーツを見つけることが容易であるが、「乳」は難しい。これらをひとつのグループとして漢字学習者に示すことで、学習者は「女」の古代文字がまず先に作られ、これを元に「好」「母」「乳」などが作られたことを理解できる。こうした繋がりと流れを知ることで、漢字を覚えやすくし、忘れにくくする。【００２３】  「子」と「女」のパーツを組み合わせることで、「好」という新しい漢字を作りだしたということも理解しうる。更に「女性が子どもをいつくしむ姿」という物語性を漢字「好」に与え、漢字を覚えやすくする。【００２４】  このような構成によれば、学習者は古代文字がどのようにして作られ、どのようにアレンジされて増えてきたのかまで容易に理解できる。特定のパーツ別にグループ化して学習することで、部首毎の機械的な暗記ではなく、成り立ちや由来別に系統立てて覚えることが可能であるため暗記効率が良い。
【発明の効果】
【００２５】  本発明によれば、個々の漢字の成り立ちだけではなく、古代文字を構成する意味別パーツの色彩によって、共通するパーツ別グループを作ることが容易であり、これにより、成り立ちを系統立てて覚えられる漢字学習用具を提供することが可能となる。一目で各古代文字の中の共通するパーツが認識可能であり、たくさんの漢字をグループ別に関連づけて学習できるので、覚えやすく、記憶に残る。【００２６】  本発明の学習カードは個々のパーツの意味が分からない時でも、色をヒントにしてパーツの意味を予想することができるため、漢字学習の初期段階にある小学校低学年、未就学児や外国人の漢字学習に好適である。漢字指導者は文部科学省制定の各学年配当漢字を基本に、パーツ毎に色分けされた古代文字カードであれば授業での指導対象とする漢字を選びやすく、指導計画（学習範囲や指導時間）を設定し易いという利点もある。【００２７】  古代文字を判別しやすい鮮やかな色彩で表示することにより、学習者にとって古代文字の分解されたパーツの印象は深まり、単調な記憶作業ではなく、視覚に訴えて記憶効率は高まり、楽しく学習することができる。漢字カードを併用して、カルタ形式により多人数で楽しみながらの学習も可能である。また、裏面を同一に仕上げることで、トランプの神経衰弱ゲームのように使用することも可能である。学習者や学習指導者の工夫次第で様々な使い方ができる。
【図面の簡単な説明】
【００２８】
【図１】本発明の漢字学習用具の一例を示した正面図である。
【図２】本実施形態に係る漢字学習用具を説明する正面図（その１）である。（ａ）基本となる象形指示文字の漢字カードとその古代文字カード（ｂ）前記（ａ）に表されているパーツと同じパーツを含む別の古代文字カードグループ（ｃ）前記（ｂ）で示した古代文字をもとにできた漢字カードグループ
【図３】本実施形態に係る漢字学習用具を説明する正面図（その２）である。（ａ）基本となる象形指示文字の漢字カードとその古代文字カード（ｂ）前記（ａ）に表されているパーツと同じパーツを含む別の古代文字カードグループ（ｃ）前記（ｂ）で示した古代文字をもとにできた漢字カードグループ
【図４】本実施形態に係る漢字学習用具を説明する正面図（その３）である。（ａ）その１、その２の学習で示した象形指示文字の漢字カードを組合せてできた会意文字の古代文字カード（ｂ）前記（ａ）で示した古代文字からできた漢字カード
【図５】本実施形態に係る漢字学習用具を説明する正面図（その４）である。
【図６】グループ化の一例を示す正面図である。（ａ）「足」のパーツを含むグループの古代文字カード（ｂ）前記（ａ）で示した古代文字から成る漢字カード
【図７】グループ化の一例を示す正面図である。（ａ）「子」のパーツを含むグループの古代文字カード（ｂ）前記（ａ）で示した古代文字から成る漢字カード
【図８】グループ化の一例を示す正面図である。（ａ）「木」のパーツを含むグループの古代文字カード（ｂ）前記（ａ）で示した古代文字から成る漢字カード
【発明を実施するための形態】
【００２９】  以下、本発明の実施形態を図面に基づいて説明する。なお、以下の説明では、同一部分には同一の符号を付し、一度説明した部分については適宜その説明を省略する。
【００３０】［漢字学習用具の構成］
以下、漢字記載のカードを「漢字カード」、古代文字記載のカードを「古代文字カード」と称する。漢字カードについては本願発明の古代文字カードを使用する際の補助的な漢字学習用具であり、仕様については特段の指定はなく、いかなる仕様であってもよい。（収納のし易さを考慮するならば、古代文字カードと同じ大きさにしておくとよい。）
【００３１】  古代文字カードは１枚のカードに１字ずつ古代文字が表示された学習用カードであり、意味を持ったパーツに分解されていて、当該分解されたパーツが持つ意味の概念別に色分けされて表示されている。使用する色彩は全ての古代文字カードで共通する特定のルールに従って統一されている。
【００３２】  共通する特定のルールとは、例えば、植物に関する物は「緑色」、人体の一部（「手」「足」など）に関する物は「オレンジ色」、人の形に関するものは「黄色」、人の呼び名（女、子等）に関する物は「ピンク色」（「女」を濃いピンク色、「子」を薄いピンク色）、家屋や木製の物は「茶色」、水に関する物は「水色」、火に関する物は「赤色」というように色分けする。それぞれの色は、前記色彩に限定されるものではなく、判別し易い色であればどの色でもよい。
【００３３】  学習効果を上げるため、植物は緑色、子どもは可愛らしいピンク色、材木を使った家屋には茶色という具合に、できるだけ学習者がそれぞれのパーツの表す物の概念を連想し易い色分けのルールの下で作成するとよい。また、子どもはきれいな色彩の方が興味を示しやすく、学習意欲も高まるので暖色系、寒色系に拘わらず印象に残る鮮やかな色彩を使用するとよい。
【００３４】  古代文字のパーツが表している物の概念を連想し易い色彩でルール化することにより、学習者は漢字をより記憶し易くなる。
【００３５】  また、古代文字は時代により甲骨文字、金文、篆文と形の異なる複数種が発見されているため、同じ漢字の古代文字カードでも時代毎に１〜３枚作成してもよい。この場合も、色分けのルールは古代文字カード全体の前記色分けルールに従う。また、複数種作成する場合には、それぞれの識別標識をカードに付すと学習指導者にとっては特に使い易くなる。古代文字の文字種が識別できるように、識別標識（「甲」「金」「篆」や色や数字に限るものではなく、アルファベットや○□△などの図形、あるいはそれらの組合せなど、古代文字の文字種が識別することができるものであればいかなる標識から構成されていてもよい。）を当該古代文字カードの同じ位置に付してもよい。（図示せず。）
【００３６】  図１は小学校１年生の配当漢字である「学」の古代文字カード１００である。「学」はもとの字は「學」であり、この字は４つのパーツを組み合わせた形である。Ａ色で表示されたパーツは左右の手で教え導くことを表し、Ｂ色で表示された部分は上のパーツが交差した木を表し、下のパーツが屋根の形を表し、Ｃ色で表示したパーツは子どもを表している。
【００３７】  Ａ色を例えば日本人の肌の色を連想させるオレンジ色、Ｂ色をたとえば材木や家屋を連想させる茶色、Ｃ色をたとえば可愛いらしさを連想する薄いピンク色で表す。
【００３８】  古代文字は低学年の児童にとっては上下が分かりにくいため、上下の識別が可能となるように、上下識別標識３（色や数字に限るものではなく、アルファベットや○□△などの図形、あるいはそれらの組合せなど、カードの上下が識別することができるものであればいかなる標識から構成されていてもよい。）を全ての古代文字カードの同じ位置に付す。
【００３９】  同様に、配当学年の識別が可能となるように、配当学年識別標識４（たとえば１年生の漢字は「１」、２年生の漢字は「２」等）を全古代文字カードの同じ位置に付す。この識別標識は、漢字指導者用であるため、古代文字カード１００の地色に近い黄色など学習者には目立たない識別表示にすると、学習の妨げにならない。
【００４０】  古代文字の上下識別標識、配当学年識別標識、古代文字の文字種識別標識はそれぞれが混同しないように明確な識別標識を付す。
【００４１】  古代文字カード１００は、紙やプラスチックやマグネットシートでしっかりとした部材に古代文字を表示する。色紙（しきし）や厚紙に表示することにより容易に手作りすることもでき、子どもが使用をくり返しても破損することが少ない。特に色紙（しきし）で作ると、へたることがなく、手にとった際に他の人にも示しやすく、文字がはっきり見えて学習の妨げにならない。色紙（しきし）は様々な形状や大きさのものがあるが、複数枚を作成する場合は全ての古代文字カードを同一素材で作る方が収納もし易く、裏返したときの見分けがつかないので、トランプの神経衰弱ゲームのように様々なゲームに活用できる。また、電子記録媒体に記録して使用することも可能である。
【００４２】  次に、図２に本発明の実施形態を説明する。図中、共通するパーツを強調するために線を太くして表示している箇所がある。
【００４３】  学習者自身が独習用に使用することも可能であるが、ここでは漢字指導者が指導時に使用する実施例を記載する。（ａ）に示すように、指導者はまず学習者に、象形指示文字の成り立ちを示す古代文字のうち、パーツに分けることができない古代文字１０１とその漢字１１を見せて、成り立ちを説明する。本実施例の場合、「子」は子どもの形である。頭の大きな乳幼児を表していることを説明する。
【００４４】  その後、（ｂ）のように「子」の古代文字１０１と同じパーツが含まれる別の古代文字カード１００を学習者に見せる。これによって、どの古代文字が先に作られ（本実施例の場合は基本となる「子」）、それを使って次々と古代文字１０２が生み出されたのだということを知ることが可能となる。
【００４５】  提示した古代文字の説明をした後（ｃ）のように、（ｂ）で見せた古代文字１０１に対応する漢字１２を提示する。（本実施例の場合、「字」「学」。）初めに「子」が作られ、「字」や「学」といった漢字が意味を足されて作られてきたことが、同じ色のパーツが含まれる古代文字を見比べることで理解できる。また、同じ物を表すパーツでも異なる形で存在することも読み取れる。（本実施例の場合、Ｂ色の屋根の部分。）
【００４６】  ばらばらのものを記憶するよりも、繋がりを持たせて芋づる式に覚える方が記憶効率はよく、また、思い出し易いことが知られている。色分けにより、同じ色の繋がりという手がかりをもとに記憶できる。
【００４７】  図３は図２で示した漢字指導の次の段階（発展学習）である。図中、共通のパーツを強調するために線を太くして表示している箇所がある。
【００４８】  図３（ａ）に示すように、次に指導者は学習者に、別の古代文字２０１とその漢字２１を見せて、成り立ちを説明する。本実施例の場合、「女」は女性がひざまずいて両手を前で交差している形であることを説明する。
【００４９】  その後、（ｂ）のように「女」の古代文字２０１と同じパーツが含まれる別の古代文字カード２００を学習者に見せる。これによって、どの古代文字が先に作られ（本実施例の場合は基本となる「女」）、それを使って次々と古代文字２０２が生み出されたのだということを知ることが可能となる。
【００５０】  提示した古代文字の説明をした後（ｃ）のように、（ｂ）で見せた古代文字２０２に対応する漢字２２を提示する。（本実施例の場合、「好」「母」「乳」。）
【００５１】  図４は図３で示した漢字指導の次の段階（発展学習）である。（ａ）では実施形態その１と実施形態その２で学習した漢字を組み合わせることで、新たな漢字が生み出されたことを、カードを並べて示すことで確認する。（本実施例の場合「子」＋「女」＝「好」。）
【００５２】  図５では、実施形態その１、その２に全く関連のないように見える漢字とその成り立ちを示す古代文字を学習者に示す。（本実施例の場合は「保」。）「保」は「人」の側身形を表すにんべんと「口」と「木」から成るように思われがちであるが、古代文字は人が子どもを背負った形から成る。「木」の説明をした後であれば、「木」の古代文字の色と「保」の「木」の部分の色が異なることで成り立ちが全く別のものであることを印象づける。形が似ている現代の漢字でも、古代文字のパーツから見比べることで、もともと全く異なる象形文字だったものが長い年月を経て、同じ形に変化したことが理解できる。また、形が似た漢字の成り立ちを混同することなく理解できる。
【００５３】  図６、図７、図８はグループ化の例である。それぞれ（ａ）が共通のパーツを含む古代文字であり、各図中太字で示したパーツが同じ意味のものを表し、同じ色で表示されている。（ｂ）が当該古代文字からできた漢字である。
【００５４】  このように古代文字をパーツ毎に色分けすることにより、学習者に与える印象は単色の表示よりも格段に強く、視覚的な影響が及ぼす学習効果は高くなる。また、グループ化により共通のパーツを含む漢字をまとめて覚えることができる。
【００５５】  以上説明したように、本実施形態によれば、漢字一字ずつの成り立ちではなく、古代文字の中の共通するパーツ別グループの成り立ちを系統立てて覚えられる漢字学習用具を提供することが可能となる。部首別のグループではなく、共通するパーツで自由にグループを作れるため、漢字指導者は自由な発想で指導計画を設定できる。
次にグループ化の一例を示す。
【００５６】「足」のパーツを含むグループ…「止」「歩」「出」「足」「走」「先」「正」
「人の形」のパーツを含むグループ…「人」「北」「比」「化」「大」「立」「文」「交」
「子」のパーツを含むグループ…「子」「字」「学」「保」「好」「流」「育」
「女」のパーツを含むグループ…「女」「好」「母」「乳」「安」
「火」のパーツを含むグループ…「火」「光」「炎」
「木」のパーツを含むグループ…「木」「林」「森」「未」「末」「本」
「田」のパーツを含むグループ…「田」「男」「町」
「白」のパーツを含むグループ…「白」「百」
「刀」のパーツを含むグループ…「刀」「切」「分」
「口」のパーツを含むグループ…「口」「兄」「右」
「目」のパーツを含むグループ…「目」「見」「直」「植」
【００５７】  前記の通り、同じ漢字でも抜き出すパーツによって別のグループを構成することができる。（「好」「見」など。）
【００５８】  なお、上記に本実施形態を説明したが、本発明はこれらの例に限定されるものではない。例えば、前述の実施形態に対して適宜、構成要素の追加、削除、設計変更を行ったものも、本発明の要旨を備えている限り、本発明の範囲に含有される。
【符号の説明】
【００５９】３…上下識別標識
４…配当学年識別標識
１０…漢字カード
１１…漢字
１２…漢字
２０…漢字カード
２１…漢字
２２…漢字
１００…古代文字カード（漢字学習用具）
１０１…基本パーツとなる古代文字
１０２…基本パーツを含む古代文字
２００…古代文字カード（漢字学習用具）
２０１…基本パーツとなる古代文字
２０２…基本パーツを含む古代文字
【手続補正２】
【補正対象書類名】特許請求の範囲
【補正対象項目名】全文
【補正方法】変更
【補正の内容】
【特許請求の範囲】
【請求項１】
漢字の成り立ちを示す古代文字を１枚のカードに１字表示した漢字学習用具であって、部首や基本漢字（象形指示文字）に限らず、古代文字が意味を持つパーツに分解され、当該パーツが表す意味が概念別に分類され、各概念別に特定のルールに従って色分けして表示されていることを特徴とする漢字学習用具。
【請求項２】
漢字の成り立ちを示す古代文字を１枚のカードに１字ずつ表示した複数枚のカードからなる漢字学習用具であって、部首や基本漢字（象形指示文字）に限らず、個々の古代文字が意味を持つパーツに分解され、当該パーツが表す意味が概念別に分類され、各概念別に全てのカードが特定のルールに従って色分けして表示され、パーツの種類に応じて複数の前記カードをグループ化することができることを特徴とする請求項１記載の漢字学習用具。